(57)【要約】【課題】複数の保存先に対して撮影画像ファイルを時系列で管理し易く保存することが難しかった。【解決手段】撮影装置は、撮影画像ファイルを保存可能な記憶媒体が接続される複数のインタフェース部と、複数のインタフェース部の各々と接続される記憶媒体に撮影画像ファイルを保存可能な保存制御手段とを備える。保存制御手段は、撮影画像ファイルの保存先が複数のインタフェース部の１つと接続される記憶媒体から他の１つと接続される記憶媒体に切り替えられると、切替元のインタフェース部と接続される記憶媒体への撮影画像ファイルの保存を禁止する。【選択図】図２
2015073243.tif 000002
【特許請求の範囲】
【請求項１】
撮影画像ファイルを保存可能な記憶媒体が接続される複数のインタフェース部と、
前記複数のインタフェース部の各々と接続される記憶媒体に撮影画像ファイルを保存可能な保存制御手段と、
を備え、
前記保存制御手段は、
撮影画像ファイルの保存先が前記複数のインタフェース部の１つと接続される記憶媒体から他の１つと接続される記憶媒体に切り替えられると、切替元のインタフェース部と接続される記憶媒体への撮影画像ファイルの保存を禁止する、
撮影装置。
【請求項２】
前記保存制御手段は、
所定の条件が満たされたとき、前記切替元のインタフェース部と接続される記憶媒体への撮影画像ファイルの保存禁止を解除する、
請求項１に記載の撮影装置。
【請求項３】
前記所定の条件は、次の（１）〜（３）の何れか１つ
（１）前記切替元のインタフェース部において記憶媒体の接続解除及び接続が、切替先の記憶媒体が保存先として設定された後に行われた、
（２）前記切替元の記憶媒体内の撮影画像ファイルが全て消去された、
（３）前記切替元の記憶媒体がフォーマットされた、
である、
請求項２に記載の撮影装置。
【請求項４】
前記保存制御手段は、
前記複数のインタフェース部の１つと接続された記憶媒体に撮影画像ファイルを空き容量不足で保存することができなくなったとき、撮影画像ファイルの保存先を、該複数のインタフェース部の他の１つと接続された記憶媒体であって、撮影画像ファイルの保存禁止が解除されたものに切り替える、
請求項２又は請求項３に記載の撮影装置。
【請求項５】
起動時に、前回保存先として設定されていた記憶媒体を保存先として継続するか否かを、該記憶媒体が保存先として設定された最新の時刻と、該記憶媒体の接続解除及び接続、フォーマット又は保存されている撮影画像ファイルの全消去が実行された最新の時刻との比較結果に基づいて判定する、
請求項１から請求項４の何れか一項に記載の撮影装置。
【請求項６】
撮影画像ファイルを保存可能な記憶媒体が接続される複数のインタフェース部と、
前記複数のインタフェース部の各々と接続される記憶媒体に撮影画像ファイルを保存可能な保存制御手段と、
前記複数のインタフェース部の各々に接続された記憶媒体のうち、撮影画像ファイルを保存する保存先を１つ選択する記憶媒体選択手段と、
前記記憶媒体選択手段によって記憶媒体が選択された時刻、及び各記憶媒体が前記複数のインタフェース部の各々と接続された時刻を記録する時刻記録手段と、
を備え、
前記記憶媒体選択手段は、
前記記録された各時刻の新旧を比べた結果に基づいて撮影画像ファイルを保存する保存先を１つ選択する、
撮影装置。
【請求項７】
前記保存制御手段は、
撮影画像ファイルの保存先に選択された第一の記憶媒体に撮影画像ファイルを保存する容量が足りなくなったとき、該第一の記憶媒体と異なる第二の記憶媒体を次の撮影画像ファイルの保存先に変更して選択するか否かを、該第一の記憶媒体が選択された時刻と、該第二の記憶媒体がインタフェース部に接続された時刻の新旧を比べた結果に基づいて判定する、
請求項６に記載の撮影装置。
【請求項８】
前記時刻記録手段は、
前記記憶媒体が前記インタフェース部に接続された状態でフォーマットされた時刻又は保存されている撮影画像ファイルの全消去が実行された時刻を記録し、
前記記憶媒体選択手段は、
撮影画像ファイルを保存する保存先を選択する際、各記憶媒体が前記複数のインタフェース部の各々と接続された時刻に代えて、前記フォーマットされた時刻又は前記全消去が実行された時刻を用いて時刻の新旧比較を行う、
請求項６又は請求項７に記載の撮影装置。
【発明の詳細な説明】
【技術分野】
【０００１】
本発明は、撮影画像ファイルを保存可能な撮影装置に関する。
【背景技術】
【０００２】
カメラ等の撮影装置において、メモリカード等の外部記憶媒体を装着可能なスロットを複数備えたものが知られている。例えば特許文献１に、外部記憶媒体を装着可能なスロットを２つ備えたダブルスロット式の撮影装置の具体的構成が記載されている。
【０００３】
特許文献１に記載の撮影装置は、例えば、連写撮影中に保存先メディアの空き容量が無くなると、保存先メディアを他方のスロットに装着されている外部記憶媒体に切り替えて連写記録を継続する。これにより、メディアフルに伴う連写撮影の中断を回避することができ、貴重な撮影チャンスを逃さずに撮影することが可能となる。
【先行技術文献】
【特許文献】
【０００４】
【特許文献１】特開２００７−１７４６９３号公報
【発明の概要】
【発明が解決しようとする課題】
【０００５】
特許文献１に例示されるダブルスロット式の撮影装置において、静止画ファイルが第一、第二の各外部記憶媒体に保存されるケースを説明する。図４（ａ）及び図４（ｂ）は、このケースの説明を補助する説明補助図である。図４（ａ）、図４（ｂ）の各図中、第一、第二の各外部記憶媒体を矩形ブロックで示す。これらの矩形ブロック内に収まる「０００１ＲＡＷ」や「００１５ＪＰＧ」等が付された矩形ブロックは、第一、第二の各外部記憶媒体に保存された静止画ファイルを示す。各矩形ブロックの長さ（横）は、その容量を示す。また、静止画ファイルのファイル名は、「（撮影順序（保存順序）に従った序数）＋（ＲＡＷ又はＪＰＧ）」となっている。「ＲＡＷ」は、ＲＡＷファイルであることを示し、「ＪＰＧ」は、ＪＰＥＧ（Joint Photographic Experts Group）ファイルであることを示す。ＲＡＷファイルは、ＪＰＥＧファイルよりもファイルサイズが大きい。
【０００６】
図４のケースにおいて、第一の外部記憶媒体は、第二の外部記憶媒体よりも保存先メディアとしての優先度が高い。そのため、図４（ａ）に示されるように、最初に撮影・生成された８枚の静止画ファイル「０００１ＲＡＷ」〜「０００８ＲＡＷ」は、第一の外部記憶媒体に順次保存される。静止画ファイル「０００９ＲＡＷ」は、保存可能な空き容量が第一の外部記憶媒体に残されていないため、第二の外部記憶媒体に保存される。以降の静止画ファイル「００１０ＲＡＷ」〜「００１３ＲＡＷ」も同様に、第二の外部記憶媒体に順次保存される。
【０００７】
第一の外部記憶媒体には、ＪＰＥＧファイルのファイルサイズ以上であってＲＡＷファイルのファイルサイズ未満の空き容量が残されている。そのため、ファイル形式がＲＡＷからＪＰＥＧに切り替えられると、図４（ｂ）に示されるように、次に撮影・生成された静止画ファイル「００１４ＪＰＧ」は、優先度の高い第一の外部記憶媒体に保存され、以降の静止画ファイル「００１５ＪＰＧ」〜「００２０ＪＰＧ」が第二の外部記憶媒体に順次保存される。
【０００８】
このように、図４の例では、静止画ファイルの保存先が第二の外部記憶媒体から第一の外部記憶媒体に一時的に入れ替わることにより、第二の外部記憶媒体から静止画ファイル「０００９ＲＡＷ」以降のうち静止画ファイル「００１４ＪＰＧ」だけが抜けて第一の外部記憶媒体に保存されてしまう。そのため、ユーザが静止画ファイルを時系列で管理すること（例えば撮影順序を把握することや時間経過を辿りながら画像検索を行うこと等）が難しくなる虞がある。
【０００９】
本発明は上記の事情に鑑みてなされたものであり、その目的とするところは、複数の保存先に対して撮影画像ファイルを時系列で管理し易く保存することが可能な撮影装置を提供することである。
【課題を解決するための手段】
【００１０】
本発明の実施形態に係る撮影装置は、撮影画像ファイルを保存可能な記憶媒体が接続される複数のインタフェース部と、複数のインタフェース部の各々と接続される記憶媒体に撮影画像ファイルを保存可能な保存制御手段とを備える。保存制御手段は、撮影画像ファイルの保存先が複数のインタフェース部の１つと接続される記憶媒体から他の１つと接続される記憶媒体に切り替えられると、切替元のインタフェース部と接続される記憶媒体への撮影画像ファイルの保存を禁止する。
【００１１】
保存制御手段は、所定の条件が満たされたとき、切替元のインタフェース部と接続される記憶媒体への撮影画像ファイルの保存禁止を解除する構成としてもよい。
【００１２】
所定の条件は、例えば、次の（１）〜（３）の何れか１つ
（１）切替元のインタフェース部において記憶媒体の接続解除及び接続が、切替先の記憶媒体が保存先として設定された後に行われた、
（２）切替元の記憶媒体内の撮影画像ファイルが全て消去された、
（３）切替元の記憶媒体がフォーマットされた、
である。
【００１３】
保存制御手段は、複数のインタフェース部の１つと接続された記憶媒体に撮影画像ファイルを空き容量不足で保存することができなくなったとき、撮影画像ファイルの保存先を、複数のインタフェース部の他の１つと接続された記憶媒体であって、撮影画像ファイルの保存禁止が解除されたものに切り替える構成としてもよい。
【００１４】
撮影装置は、起動時に、前回保存先として設定されていた記憶媒体を保存先として継続するか否かを、記憶媒体が保存先として設定された最新の時刻と、記憶媒体の接続解除及び接続、フォーマット又は保存されている撮影画像ファイルの全消去が実行された最新の時刻との比較結果に基づいて判定する構成としてもよい。
【００１５】
また、本発明の実施形態に係る撮影装置は、撮影画像ファイルを保存可能な記憶媒体が接続される複数のインタフェース部と、複数のインタフェース部の各々と接続される記憶媒体に撮影画像ファイルを保存可能な保存制御手段と、複数のインタフェース部の各々に接続された記憶媒体のうち、撮影画像ファイルを保存する保存先を１つ選択する記憶媒体選択手段と、記憶媒体選択手段によって記憶媒体が選択された時刻、及び各記憶媒体が複数のインタフェース部の各々と接続された時刻を記録する時刻記録手段とを備える。記憶媒体選択手段は、記録された各時刻の新旧を比べた結果に基づいて撮影画像ファイルを保存する保存先を１つ選択する。
【００１６】
保存制御手段は、撮影画像ファイルの保存先に選択された第一の記憶媒体に撮影画像ファイルを保存する容量が足りなくなったとき、第一の記憶媒体と異なる第二の記憶媒体を次の撮影画像ファイルの保存先に変更して選択するか否かを、第一の記憶媒体が選択された時刻と、第二の記憶媒体がインタフェース部に接続された時刻の新旧を比べた結果に基づいて判定する構成としてもよい。
【００１７】
時刻記録手段は、記憶媒体がインタフェース部に接続された状態でフォーマットされた時刻又は保存されている撮影画像ファイルの全消去が実行された時刻を記録してもよい。この場合、記憶媒体選択手段は、撮影画像ファイルを保存する保存先を選択する際、各記憶媒体が複数のインタフェース部の各々と接続された時刻に代えて、記憶媒体がインタフェース部に接続された状態でフォーマットされた時刻又は保存されている撮影画像ファイルの全消去が実行された時刻を用いて時刻の新旧比較を行ってもよい。
【発明の効果】
【００１８】
本実施形態によれば、複数の保存先に対して撮影画像ファイルを時系列で管理し易く保存することが可能な撮影装置が提供される。
【図面の簡単な説明】
【００１９】
【図１】本発明の実施形態の撮影装置の構成を示すブロック図である。
【図２】本発明の実施例１に係る撮影画像ファイルの保存フローを示す図である。
【図３】本発明の実施例２に係る撮影画像ファイルの保存フローを示す図である。
【図４】従来の保存方式の問題点を説明するための説明補助図である。
【発明を実施するための形態】
【００２０】
以下、本発明の実施形態の撮影装置について図面を参照しながら説明する。以下においては、本発明の一実施形態として、デジタル一眼レフカメラについて説明する。なお、撮影装置は、デジタル一眼レフカメラに限らず、例えば、ミラーレス一眼カメラ、コンパクトデジタルカメラ、カムコーダ、タブレット端末、ＰＨＳ（Personal Handy phone System）、スマートフォン、フィーチャフォン、携帯ゲーム機など、撮影機能を有する別の形態の装置に置き換えてもよい。
【００２１】
［撮影装置１の構成］
図１は、本実施形態の撮影装置１の構成を示すブロック図である。図１に示されるように、撮影装置１は、ＣＰＵ（Central Processing Unit）１００、操作部１０２、絞り・シャッタ駆動回路１０４、撮影レンズ１０６、絞り１０８、シャッタ１１０、イメージセンサ１１２、信号処理回路１１４、画像処理エンジン１１６、バッファメモリ１１８、カード用インタフェース１２０Ａ、１２０Ｂ、ＬＣＤ（Liquid Crystal Display）制御回路１２２、ＬＣＤ１２４及びＲＯＭ（Read Only Memory）１２６を備えている。
【００２２】
操作部１０２には、電源スイッチやレリーズスイッチ、撮影モードスイッチなど、ユーザが撮影装置１を操作するために必要な各種スイッチが含まれる。ユーザにより電源スイッチが押されると、図示省略されたバッテリから撮影装置１の各種回路に電源ラインを通じて電源供給が行われる。ＣＰＵ１００は電源供給後、ＲＯＭ１２６にアクセスして制御プログラムを読み出して内蔵メモリ（不図示）にロードし、ロードされた制御プログラムを実行することにより、撮影装置１全体の制御を行う。
【００２３】
ＣＰＵ１００は、撮影装置１に内蔵されたＴＴＬ（Through The Lens）露出計（不図示）で測定された測光値に基づき適正露出が得られるように、絞り・シャッタ駆動回路１０４を介して絞り１０８及びシャッタ１１０を駆動制御する。より詳細には、絞り１０８及びシャッタ１１０の駆動制御は、プログラムＡＥ（Automatic Exposure）、シャッタ速度優先ＡＥ、絞り優先ＡＥなど、撮影モードスイッチにより指定されるＡＥ機能に基づいて行われる。また、ＣＰＵ１００はＡＥ制御と併せてＡＦ（Autofocus）制御を行う。ＡＦ制御には、アクティブ方式、位相差検出方式、コントラスト検出方式等が適用される。なお、この種のＡＥ及びＡＦの構成及び制御については周知であるため、ここでの詳細な説明は省略する。
【００２４】
被写体からの光束は、撮影レンズ１０６、絞り１０８、シャッタ１１０を通過してイメージセンサ１１２により受光される。イメージセンサ１１２は、例えばＣＣＤ（Charge Coupled Device）イメージセンサやＣＭＯＳ（Complementary Metal Oxide Semiconductor）イメージセンサであり、撮像面上の各画素で結像した光学像を光量に応じた電荷として蓄積して電気信号に変換し、信号処理回路１１４に出力する。信号処理回路１１４は、イメージセンサ１１２より入力される電気信号（撮影データ）に対して所定の信号処理を施して、画像処理エンジン１１６に出力する。
【００２５】
画像処理エンジン１１６は、信号処理回路１１４より入力される信号に対して色補間、マトリクス演算、Ｙ／Ｃ分離等の所定の信号処理を施して輝度信号Ｙ、色差信号Ｃｂ、Ｃｒを生成し、ＪＰＥＧ（Joint Photographic Experts Group）等の所定のフォーマットで圧縮する。バッファメモリ１１８は、画像処理エンジン１１６による処理の実行時、処理データの一時的な保存場所として用いられる。
【００２６】
カード用インタフェース１２０Ａのカードスロット１２０Ａａ及びカード用インタフェース１２０Ｂのカードスロット１２０Ｂａには、メモリカードが着脱可能に差し込まれる。本実施形態では、説明の便宜上、カードスロット１２０Ａａに差し込まれたメモリカードに符号２００を付し、カードスロット１２０Ｂａに差し込まれたメモリカードに符号３００を付す。
【００２７】
画像処理エンジン１１６は、カード用インタフェース１２０Ａ、１２０Ｂを介してメモリカード２００、３００のそれぞれと通信可能である。画像処理エンジン１１６は、生成された圧縮画像信号（撮影画像ファイル）を、ユーザによる操作部１０２の設定操作に従い、メモリカード２００及び３００の少なくとも一方に保存する。
【００２８】
また、画像処理エンジン１１６は、Ｙ／Ｃ分離後の信号に所定の信号処理を施して、フレームメモリ（不図示）にフレーム単位でバッファリングする。画像処理エンジン１１６は、バッファリングされた信号を所定のタイミングで各フレームメモリから掃き出して画像信号に変換し、ＬＣＤ制御回路１２２に出力する。ＬＣＤ制御回路１２２は、画像処理エンジン１１６より入力される画像信号を基に液晶を変調制御する。これにより、被写体の撮影画像がＬＣＤ１２４に表示される。ユーザは、ＡＥ制御及びＡＦ制御に基づいて適正な輝度及びピントで撮影されたリアルタイムのスルー画を、ＬＣＤ１２４を通じて視認することができる。
【００２９】
［撮影画像ファイルの保存フロー］
（実施例１）
次に、撮影装置１による撮影画像ファイルの保存フローを説明する。図２は、本発明の実施例１に係る撮影画像ファイルの保存フローを示す。図２に示される撮影画像ファイルの保存フローは、電源投入により撮影装置１が起動すると開始される。本実施例１では、カードスロット１２０Ａａ（メモリカード２００）の方がカードスロット１２０Ｂａ（メモリカード３００）よりも優先度が高い。
【００３０】
［図２のＳ１１（前回の保存先のチェック）］
撮影装置１が起動されると、本処理ステップＳ１１では、撮影装置１の前回の動作時に保存された撮影画像ファイルの保存先（以下、「前回の保存先」と略記する。）がメモリカード２００であるか又はメモリカード３００であるかがチェックされる。前回の保存先がメモリカード２００である場合（図２のＳ１１：メモリカード２００）、保存先の設定がメモリカード２００から変更されることなく図２の処理ステップＳ１４（レリーズ操作の待機）に進められる。前回の保存先がメモリカード３００である場合（図２のＳ１２：メモリカード３００）、保存先の設定がメモリカード３００から変更されることなく図２の処理ステップＳ１２（カードスロット１２０Ｂａ側の挿抜の判定）に進められる。
【００３１】
［図２のＳ１２（カードスロット１２０Ｂａ側の挿抜の判定）］
本処理ステップＳ１２では、撮影装置１の前回の動作時に保存先がメモリカード３００に設定されて以降、メモリカード３００がカードスロット１２０Ｂａより挿抜されたか否か（例えば、一旦抜き取られて再度差し込まれたか否か、抜き取られて別のメモリカード３００が差し込まれたか否か等）が判定される。
【００３２】
なお、ＣＰＵ１００では、撮影画像ファイルの保存先がメモリカード２００に設定された時刻、メモリカード３００に設定された時刻、メモリカード２００の挿抜時刻（抜き取られた時刻及び差し込まれた時刻）、メモリカード３００の挿抜時刻など、各種時刻が管理されている。なお、「時刻」は、単に「時・分・秒」により表現されるものに限らず、「年・月・日・時・分・秒」により表現されるものであってもよい。本実施例１において、ＣＰＵ１００により管理されている各種時刻は、必要に応じて各処理ステップの実行に利用される。例えば、本処理ステップＳ１２では、撮影画像ファイルの保存先としてメモリカード３００が設定された最新の時刻と、メモリカード３００の挿抜（又はメモリカード３００内の撮影画像ファイルの全消去又はメモリカード３００のフォーマット）が行われた最新の時刻との比較結果に基づいて上記の挿抜判定がなされる。なお、撮影装置１の電源スイッチがＯＦＦの状態はもちろん、メインバッテリーが外された状態でも撮影装置１に内蔵されたバックアップ電源によって、各種時刻の記録と更新は可能である。
【００３３】
［図２のＳ１３（保存先の設定変更）］
図２の処理ステップＳ１２（カードスロット１２０Ｂａ側の挿抜の判定）において、メモリカード３００の挿抜があったと判定された場合（図２のＳ１２：ＹＥＳ）、メモリカード３００のステータス（保存されている撮影画像ファイル等）が挿抜前後で変わっていると判断できる。そのため、メモリカード３００への撮影画像ファイルの保存を継続すると、後々、撮影画像ファイルを時系列で管理すること（例えば撮影順序を把握することや時間経過を辿りながら画像検索を行うこと等）が難しくなる虞がある。
【００３４】
そこで、本処理ステップＳ１３では、撮影画像ファイルの保存先がメモリカード３００から優先度の高いメモリカード２００に自動的に切り替えられる。撮影画像ファイルの保存先がメモリカード２００に切り替えられると、切替元のメモリカード３００への撮影画像ファイルの保存が禁止される。次いで、本フローチャートの処理は、図２の処理ステップＳ１４（レリーズ操作の待機）に進められる。
【００３５】
メモリカード３００への撮影画像ファイルの保存禁止は、原則的には、所定の条件が満たされない限り解除されない（詳しくは後述）。しかし、撮影画像ファイルの保存先がメモリカード３００にマニュアル操作で指定されたとき、メモリカード３００への撮影画像ファイルの保存禁止は、所定の条件が充足されたか否かに拘わらず例外的に解除される。但し、メモリカード３００への撮影画像ファイルの保存禁止が解除されるのに先立ち、保存禁止中であることを示すアラートや保存禁止解除の許否を確認するメッセージ等がＬＣＤ１２４に表示される。
【００３６】
［図２のＳ１４（レリーズ操作の待機）］
本処理ステップＳ１４では、レリーズ操作が待機される。なお、図２の処理ステップＳ１６（保存可能な残り枚数のチェック）までの説明を簡明にする便宜上、少なくとも一枚の撮影画像ファイルを、この時点で設定されているファイル形式でメモリカード２００に保存できるものとする。
【００３７】
［図２のＳ１５（メモリカード２００への撮影画像ファイルの保存）］
レリーズ操作が行われると（図２のＳ１４：ＹＥＳ）、本処理ステップＳ１５が実施される。本処理ステップＳ１５では、レリーズ操作に応じて被写体が撮影されて、撮影画像ファイルが生成される。生成された撮影画像ファイルは、メモリカード２００に保存される。
【００３８】
［図２のＳ１６（保存可能な残り枚数のチェック）］
本処理ステップＳ１６では、メモリカード２００に保存可能な撮影画像ファイルの残り枚数が０枚か否かがチェックされる。メモリカード２００に保存可能な撮影画像ファイルの残り枚数が１枚以上ある場合は（図２のＳ１６：ＮＯ）、図２の処理ステップＳ１４（レリーズ操作の待機）に戻される。メモリカード２００に保存可能な撮影画像ファイルの残り枚数が０枚の場合は（図２のＳ１６：ＹＥＳ）、図２の処理ステップＳ１７（カードスロット１２０Ｂａ側の挿抜の判定）に進められる。
【００３９】
［図２のＳ１７（カードスロット１２０Ｂａ側の挿抜の判定）］
本処理ステップＳ１７では、撮影画像ファイルの保存先としてメモリカード２００が設定された最新の時刻と、メモリカード３００の挿抜が行われた最新の時刻との比較結果に基づき、撮影画像ファイルの保存先がメモリカード２００に設定されて以降、メモリカード３００がカードスロット１２０Ｂａより挿抜されたか否かが判定される。
【００４０】
［図２のＳ１８（撮影画像ファイルの保存処理の終了）］
図２の処理ステップＳ１７（カードスロット１２０Ｂａ側の挿抜の判定）において、メモリカード３００の挿抜がなかったと判定された場合（図２のＳ１７：ＮＯ）、メモリカード３００にも撮影画像ファイルが多数保存されており、撮影画像ファイルを保存するための容量が残されていないか、残されていてもそのまま保存すると撮影順の時系列が乱れてしまう可能性がある。
【００４１】
そこで、本処理ステップＳ１８では、メモリカード２００、３００共に撮影画像ファイルを保存するための容量が残されておらず、現状ではこれ以上、撮影画像ファイルの保存を継続することができないとみなされて、本フローチャートが終了する。
【００４２】
［図２のＳ１９（保存先の設定変更）］
図２の処理ステップＳ１７（カードスロット１２０Ｂａ側の挿抜の判定）において、メモリカード３００の挿抜があったと判定された場合（図２のＳ１７：ＹＥＳ）、カードスロット１２０Ｂａにおいてメモリカード３００が撮影画像ファイル未保存のものに入れ替えられたとみなされる。メモリカード３００への撮影画像ファイルの保存が禁止されている場合、その禁止が解除される。なお、保存の禁止は、例えばメモリカード３００内の撮影画像ファイルが全て消去された時点やメモリカード３００がフォーマットされた時点で解除されるようにしてもよい。
【００４３】
本処理ステップＳ１９では、撮影画像ファイルの保存先がメモリカード２００からメモリカード３００に切り替えられる。撮影画像ファイルの保存先がメモリカード３００に切り替えられると、切替元のメモリカード２００への撮影画像ファイルの保存が禁止される。
【００４４】
［図２のＳ２０（レリーズ操作の待機））］
本処理ステップＳ２０は、図２の処理ステップＳ１９（保存先の設定変更）にて撮影画像ファイルの保存先がメモリカード３００に切り替えられた場合に実施される。また、図２の処理ステップＳ１２（カードスロット１２０Ｂａ側の挿抜の判定）において、メモリカード３００の挿抜がなかったと判定された場合（図２のＳ１２：ＮＯ）、メモリカード３００のステータス（保存されている撮影画像ファイル等）が前回から変わっておらず、メモリカード３００への撮影画像ファイルの保存を継続することが妥当であるものとみなされる。この場合も、本処理ステップＳ２０が実施される。
【００４５】
本処理ステップＳ２０では、レリーズ操作が待機される。なお、図２の処理ステップＳ２２（保存可能な残り枚数のチェック）までの説明を簡明にする便宜上、少なくとも一枚の撮影画像ファイルを、この時点で設定されているファイル形式でメモリカード３００に保存できるものとする。
【００４６】
［図２のＳ２１（メモリカード３００への撮影画像ファイルの保存）］
レリーズ操作が行われると（図２のＳ２０：ＹＥＳ）、本処理ステップＳ２１が実施される。本処理ステップＳ２１では、レリーズ操作に応じて被写体が撮影されて、撮影画像ファイルが生成される。生成された撮影画像ファイルは、メモリカード３００に保存される。
【００４７】
［図２のＳ２２（保存可能な残り枚数のチェック）］
本処理ステップＳ２２では、メモリカード３００に保存可能な撮影画像ファイルの残り枚数が０枚か否かがチェックされる。メモリカード３００に保存可能な撮影画像ファイルの残り枚数が１枚以上ある場合は（図２のＳ２２：ＮＯ）、図２の処理ステップＳ２０（レリーズ操作の待機）に戻される。メモリカード３００に保存可能な撮影画像ファイルの残り枚数が０枚の場合は（図２のＳ２２：ＹＥＳ）、図２の処理ステップＳ２３（カードスロット１２０Ａａ側の挿抜の判定）に進められる。
【００４８】
［図２のＳ２３（カードスロット１２０Ａａ側の挿抜の判定）］
本処理ステップＳ２３では、撮影画像ファイルの保存先としてメモリカード３００が設定された最新の時刻と、メモリカード２００の挿抜が行われた最新の時刻との比較結果に基づき、撮影画像ファイルの保存先がメモリカード３００に設定されて以降、メモリカード２００がカードスロット１２０Ａａより挿抜されたか否かが判定される。
【００４９】
本処理ステップＳ２３において、メモリカード２００の挿抜がなかったと判定された場合（図２のＳ２３：ＮＯ）、メモリカード２００にも撮影画像ファイルが多数保存されており、撮影画像ファイルを保存するための容量が残されていない可能性がある。この場合、図２の処理ステップＳ１８（撮影画像ファイルの保存処理の終了）に進み、本フローチャートが終了する。
【００５０】
［図２のＳ２４（保存先の設定変更）］
図２の処理ステップＳ２３（カードスロット１２０Ａａ側の挿抜の判定）において、メモリカード２００の挿抜があったと判定された場合（図２のＳ２３：ＹＥＳ）、カードスロット１２０Ａａにおいてメモリカード２００が撮影画像ファイル未保存のものに入れ替えられたとみなされる。メモリカード２００への撮影画像ファイルの保存が禁止されている場合、その禁止が解除される。なお、保存の禁止は、例えばメモリカード２００内の撮影画像ファイルが全て消去された時点やメモリカード２００がフォーマットされた時点で解除されるようにしてもよい。
【００５１】
本処理ステップＳ２４では、撮影画像ファイルの保存先がメモリカード３００からメモリカード２００に切り替えられる。撮影画像ファイルの保存先がメモリカード２００に切り替えられると、切替元のメモリカード３００への撮影画像ファイルの保存が禁止される。次いで、本フローチャートの処理は、図２の処理ステップＳ１４（レリーズ操作の待機）に戻される。
【００５２】
このように、本実施例１では、撮影画像ファイルの保存先がメモリカード２００及び３００の一方から他方へ切り替えられる際、切替元のメモリカードへの撮影画像ファイルの保存が禁止される。これにより、従来生じていた問題（図４参照）が回避可能となるため、ユーザは、メモリカード２００及び３００に保存された撮影画像ファイルを時系列で管理し易くなる。
【００５３】
また、本実施例１では、撮影画像ファイルの保存禁止が適時に解除される。適時とは、保存先として新たに設定が予定されるメモリカード内に撮影画像ファイルが保存されていないことが検知されるタイミングであり、例えば、
（１）保存先が現在のメモリカードに設定されて以降、メモリカードが挿抜されたことが検知されるタイミング
（２）メモリカード内の全ての撮影画像ファイルが消去されたタイミング
（３）メモリカードがフォーマットされたタイミング
である。上記（２）や上記（３）の具体的タイミングとして、例えば、テスト撮影終了後であって本撮影前にテスト撮影画像ファイルがユーザ操作により消去されたタイミング又はメモリカードがフォーマットされたタイミングや、無線通信機能を持つメモリカードに撮影画像ファイルが一時的に保存された後、外部装置に自動的に転送（つまりメモリカードから削除）されたタイミング等が考えられる。撮影画像ファイルの保存禁止が適時に解除されることにより、従来生じていた問題（図４参照）の回避が担保された状態で撮影画像ファイルをメモリカード２００及び３００に循環的に保存することが可能となる。
【００５４】
（実施例２）
図３は、本発明の実施例２に係る撮影画像ファイルの保存フローを示す。本実施例２では、本実施例１と異なり、カードスロット１２０Ａａ（メモリカード２００）とカードスロット１２０Ｂａ（メモリカード３００）との間で優先度が設定されていない。そのため、本実施例２の保存フローは、図３に示されるように、本実施例１の保存フローから処理ステップＳ１２（カードスロット１２０Ｂａ側の挿抜の判定）及び処理ステップＳ１３（保存先の設定変更）が省かれているが、その他の処理ステップは同一である。本実施例２においても本実施例１と同様に、従来生じていた問題（図４参照）が回避可能となるため、ユーザは、メモリカード２００及び３００に保存された撮影画像ファイルを時系列で管理し易くなる。
【００５５】
以上が本発明の例示的な実施形態の説明である。本発明の実施形態は、上記に説明したものに限定されず、本発明の技術的思想の範囲において様々な変形が可能である。例えば明細書中に例示的に明示される実施形態等又は自明な実施形態等を適宜組み合わせた内容も本願の実施形態に含まれる。
【符号の説明】
【００５６】
１  撮影装置
１００  ＣＰＵ
１０２  操作部
１０４  絞り・シャッタ駆動回路
１０６  撮影レンズ
１０８  絞り
１１０  シャッタ
１１２  イメージセンサ
１１４  信号処理回路
１１６  画像処理エンジン
１１８  バッファメモリ
１２０Ａ、１２０Ｂ  カード用インタフェース
１２０Ａａ、１２０Ｂａ  カードスロット
１２２  ＬＣＤ制御回路
１２４  ＬＣＤ
１２６  ＲＯＭ
２００、３００  メモリカード
【図１】
2015073243.tif 000003
【図２】
2015073243.tif 000004
【図３】
2015073243.tif 000005
【図４】
2015073243.tif 000006